(57)【要約】【課題】発泡時に第１金型に対して取付け部材が位置ズレするのを抑えたヘッドレストの製造方法を提供する。【解決手段】ヘッドレストの製造方法Ｓは、外面に、外面から突出するか外面から凹んだ係合部が形成された第１金型に、外面に沿ってフィルムを配置するフィルム配置工程Ｓ１と、係合部に取付け部材の第１被係合部を外面に沿う方向に係合させる取付け部材配置工程Ｓ３と、第１金型との間にフィルム及び取付け部材を挟む位置に第２金型を配置する第２金型配置工程Ｓ７と、第１金型と第２金型との間で発泡原料を発泡させて、フィルム及び取付け部材に、発泡原料を発泡して構成した本体部をそれぞれ固定する発泡工程Ｓ９と、を行う。【選択図】図６
2019209545.tif 000002
【特許請求の範囲】
【請求項１】
外面に、前記外面から突出するか前記外面から凹んだ係合部が形成された第１金型に、前記外面に沿ってフィルムを配置するフィルム配置工程と、
前記係合部に取付け部材の第１被係合部を前記外面に沿う方向に係合させる取付け部材配置工程と、
前記第１金型との間に前記フィルム及び前記取付け部材を挟む位置に第２金型を配置する第２金型配置工程と、
前記第１金型と前記第２金型との間で発泡原料を発泡させて、前記フィルム及び前記取付け部材に、前記発泡原料を発泡して構成した本体部をそれぞれ固定する発泡工程と、
を行うことを特徴とする発泡成形体の製造方法。
【請求項２】
前記取付け部材配置工程では、前記取付け部材を固定部材を介して前記フィルムに固定する請求項１に記載の発泡成形体の製造方法。
【請求項３】
前記係合部は、前記外面から突出した凸部であり、
前記第１被係合部は、前記取付け部材に形成された凹部である請求項１又は２に記載の発泡成形体の製造方法。
【請求項４】
前記凹部の内面には、支持体に装着される固定部が係合する第２被係合部が形成されている請求項３に記載の発泡成形体の製造方法。
【請求項５】
前記第２被係合部は、前記凹部の内面から凹んでいる請求項４に記載の発泡成形体の製造方法。
【発明の詳細な説明】
【技術分野】
【０００１】
本発明は、発泡成形体の製造方法に関する。
【背景技術】
【０００２】
従来、ポリウレタンフォームコアの外面を透明なフィルムで覆い、発泡成形体を構成することが知られている（例えば、特許文献１参照）。このように構成された発泡成形体では、フィルムがポリウレタンフォームコアを保護するため、ポリウレタンフォームコアの表面が傷付きに難く、かつ汚れ難くなる。
【先行技術文献】
【特許文献】
【０００３】
【特許文献１】特開２００６−２２４６１７号公報
【発明の概要】
【発明が解決しようとする課題】
【０００４】
この発泡成形体の構成を用いて、例えば、浴槽に装着されるヘッドレストを製造することが検討されている。ヘッドレストを浴槽に装着するために、ヘッドレストは、吸盤等を含む固定部を備えている。ただし、ポリウレタンフォームコアを複数の金型の間で発泡により形成するときには、固定部が支障になる。このため、発泡時にはヘッドレストにおける固定部以外の部分を形成する。この際に、発泡後にヘッドレストに固定部を装着できるように、固定部を装着可能な取付け部材をヘッドレストに埋め込んでおく。そして、発泡によりヘッドレストを製造し、その後で、ヘッドレストの取付け部材に固定部を装着する。
【０００５】
ところで、このように構成されたヘッドレストを製造する時には、吸引等により金型（第１金型）の外面に沿ってフィルムを配置し、フィルム上の所望の位置に取付け部材を配置した状態で発泡を行う。しかしながら、発泡原料が流れる圧力により、取付け部材が所望の位置から位置ズレする虞がある。
【０００６】
本発明は、このような問題点に鑑みてなされたものであって、発泡時に第１金型に対して取付け部材が位置ズレするのを抑えた発泡成形体の製造方法を提供することを目的とする。
【課題を解決するための手段】
【０００７】
上記課題を解決するために、この発明は以下の手段を提案している。
本発明の発泡成形体の製造方法は、外面に、前記外面から突出するか前記外面から凹んだ係合部が形成された第１金型に、前記外面に沿ってフィルムを配置するフィルム配置工程と、前記係合部に取付け部材の第１被係合部を前記外面に沿う方向に係合させる取付け部材配置工程と、前記第１金型との間に前記フィルム及び前記取付け部材を挟む位置に第２金型を配置する第２金型配置工程と、前記第１金型と前記第２金型との間で発泡原料を発泡させて、前記フィルム及び前記取付け部材に、前記発泡原料を発泡して構成した本体部をそれぞれ固定する発泡工程と、を行うことを特徴としている。
【０００８】
この発明によれば、係合部と第１被係合部とが第１金型の外面に沿う方向に係合することにより、第１金型に対して取付け部材が第１金型の外面に沿う方向に相対的に移動するのが規制されている。従って、第１金型と第２金型との間で発泡原料を発泡させる時に、第１金型に対して取付け部材が第１金型の外面に沿う方向等に位置ズレするのを抑えることができる。
【０００９】
また、上記の発泡成形体の製造方法において、前記取付け部材配置工程では、前記取付け部材を固定部材を介して前記フィルムに固定してもよい。
この発明によれば、例えば第１金型に対して取付け部材が第１金型の外面に交差する方向に相対的に移動するのが規制されている。このため、第１金型と第２金型との間で発泡原料を発泡させる時に、第１金型に対して取付け部材が第１金型の外面に交差する方向に位置ズレするのを抑えることができる。
【００１０】
また、上記の発泡成形体の製造方法において、前記係合部は、前記外面から突出した凸部であり、前記第１被係合部は、前記取付け部材に形成された凹部であってもよい。
この発明によれば、取付け部材の凹部がヘッドレストから外部に突出しないため、取付け部材がヘッドレストの周辺の部材に干渉するのを抑えることができる。
【００１１】
また、上記の発泡成形体の製造方法において、前記凹部の内面には、支持体に装着される固定部が係合する第２被係合部が形成されていてもよい。
この発明によれば、取付け部材における凹部の内面以外の部分に第２被係合部が形成されている場合と比べて、凹部及び第２被係合部を全体として小型に形成することができる。
【００１２】
また、上記の発泡成形体の製造方法において、前記第２被係合部は、前記凹部の内面から凹んでいてもよい。
この発明によれば、第１金型の凸部が第２被係合部に干渉するのを抑制することができる。
【発明の効果】
【００１３】
本発明の発泡成形体の製造方法によれば、発泡時に第１金型に対して取付け部材が位置ズレするのを抑えることができる。
【図面の簡単な説明】
【００１４】
【図１】本発明の一実施形態のヘッドレストの製造方法で製造されるヘッドレストが装着される浴槽の斜視図である。
【図２】図１中の切断線Ａ１−Ａ１の断面図である。
【図３】同ヘッドレストの底面図である。
【図４】図３中の切断線Ａ２−Ａ２の断面図である。
【図５】図３中の吸盤固定部材周辺の拡大図である。
【図６】同ヘッドレストの製造方法を示すフローチャートである。
【図７】同ヘッドレストの製造方法を説明する断面図である。
【発明を実施するための形態】
【００１５】
以下、本発明に係る発泡成形体の製造方法（以下、単に製造方法とも言う）の一実施形態について、発泡成形体がヘッドレストであり、支持体が浴槽である場合について、図１から図７を参照しながら説明する。まず、浴槽について説明する。
図１に示すように、浴槽１０１は、上方が開口する有底角筒状に形成されている。
より詳しく説明すると、浴槽１０１は、底壁部１０２と、一対の第１側壁部１０３と、一対の第２側壁部１０４と、を備えている。
【００１６】
底壁部１０２は、平面視で所定の方向に長い矩形状を呈している。
各第１側壁部１０３は、底壁部１０２の短辺に立設されている。各第１側壁部１０３は、平面視において、上方に向かうに従い底壁部１０２から離間するように傾斜している。
図１及び図２に示すように、各第１側壁部１０３の上端部には、水平面に沿い、かつ、平面視において底壁部１０２から離間する方向に延びる天壁部１０６が設けられている。
図２に示すように、第１側壁部１０３と天壁部１０６との接続部分における浴槽１０１の開口１０１ａ側の面には、開口１０１ａに向かって突出する膨出部１０７が形成されている。膨出部１０７は、底壁部１０２の短辺に沿って延びている。膨出部１０７と第１側壁部１０３との間には、天壁部１０６が延びる方向に向かって凹んだ凹部１０８が形成されている。
図１に示すように、各第２側壁部１０４は、底壁部１０２の長辺に立設されている。
【００１７】
図２から図４に示すように、ヘッドレスト１は、本体部１１と、第１フィルム（フィルム）２１と、第２フィルム２６と、取付け部材（第１取付け部材）３１と、両面テープ（固定部材）４１と、固定部４６と、を備えている。なお、図３では、固定部４６の後述する吸盤４８を示していない。
以下では、底壁部１０２の長辺に沿う方向であって、一対の第１側壁部１０３のうちヘッドレスト１が装着される第１側壁部１０３からヘッドレスト１が装着されない第１側壁部１０３に向かう向きを前方と言う。前方の反対向きを後方と言い、底壁部１０２の短辺に沿う方向を左右方向と言う。
【００１８】
図２に示すように、本体部１１は、天板部１２と、傾斜板部１３と、を備えている。
天板部１２は、厚さ方向が上下方向となるように配置されている。天板部１２は、左右方向に延びている。天板部１２の後端面は、後方に向かうに従い漸次、下方に向かうように傾斜している。
図４に示すように、天板部１２の下面には、上方に向かって凹んだ第１収容部１７が形成されている。天板部１２には、第１収容部１７が、互いに左右方向に間隔を空けて一対形成されている（図３参照）。第１収容部１７の底面における中央部には、上方に向かって凹んだ第２収容部１８が形成されている。
【００１９】
図２に示すように、傾斜板部１３は、天板部１２の前端部から、前方に向かうに従い漸次、下方に向かうように傾斜している。傾斜板部１３の後面の下端部には、後方に向かって突出した凸部１４が形成されている。傾斜板部１３及び凸部１４は、天板部１２の左右方向の全長にわたって左右方向に沿ってそれぞれ延びている。凸部１４は、浴槽１０１の凹部１０８に係合している。
【００２０】
天板部１２の上面及び傾斜板部１３の前面は、互いに滑らかに連なっている。天板部１２の下面における前方の部分、及び傾斜板部１３の後面における凸部１４よりも上方の部分は、互いに滑らかに連なっている。これらの面の滑らかな形状は、浴槽１０１の膨出部１０７の形状に対応している。
傾斜板部１３の後面における凸部１４よりも下方の部分は、前方に向かうに従い漸次、下方に向かうように傾斜している。
図２及び図３に示すように、天板部１２及び傾斜板部１３には、天板部１２の下面、及び傾斜板部１３の後面における凸部１４よりも上方の部分に、溝１６が形成されている。溝１６は、左右方向に直交する所定の面上に形成されている。天板部１２及び傾斜板部１３には、溝１６が複数形成されている。複数の溝１６は、左右方向に互いに間隔を空けて形成されている。
【００２１】
本体部１１を構成する天板部１２、傾斜板部１３、及び凸部１４は、ポリウレタンフォーム等の発泡材料で一体に形成されている。
【００２２】
第１フィルム２１及び第２フィルム２６には、例えば、シルクロン（登録商標、大倉工業株式会社製）が用いられる。シルクロンは、熱可塑性ポリウレタンエラストマー（ＴＰＵ）を押出し成形したフィルムである。
図２に示すように、第１フィルム２１は、主に天板部１２の下面及び傾斜板部１３の後面を覆っている。天板部１２及び傾斜板部１３の溝１６を覆う第１フィルム２１には、溝１６に対応して溝２２が形成されている。
図４に示すように、第１フィルム２１は、第１収容部１７に沿って配置されている。第１フィルム２１において、第１収容部１７の底面の中央部に配置された部分には、開口２１ｃが形成されている。開口２１ｃは、第１フィルム２１を第１フィルム２１の厚さ方向に貫通している。例えば、開口２１ｃは、平面視で左右方向に長い楕円状である。
【００２３】
図２に示すように、第２フィルム２６は、天板部１２の上面及び傾斜板部１３の前面を覆っている。第１フィルム２１と第２フィルム２６とは、例えば平面視におけるヘッドレスト１の外周縁部等で熱融着により接合されている。
【００２４】
図４に示すように、取付け部材３１は、有頂筒状に形成された取付け部本体３２と、取付け部本体３２の開口縁に設けられた鍔部３３と、を備えている。
取付け部本体３２では、天壁部３５の外周縁部から、天壁部３５の全周にわたって側壁部３６が下方に向かって延びている。天壁部３５は、第１フィルム２１の開口２１ｃに対応した、平面視で左右方向に長い楕円状である。側壁部３６は、筒状に形成されている。側壁部３６の内部空間は、取付け部材３１に形成された凹部である第１凹部（第１被係合部）３１ａである。
側壁部３６の内周面（第１凹部３１ａの内面）における上端部には、第２凹部（第２被係合部）３６ａが形成されている。第２凹部３６ａは、側壁部３６の内周面から側壁部３６の径方向外側に向かって凹んでいる。
鍔部３３は、側壁部３６の下端部から側壁部３６の径方向外側に向かって張り出している。鍔部３３は、側壁部３６の全周にわたって形成されている。
【００２５】
取付け部材３１は、本体部１１の第２収容部１８内に配置されている。取付け部材３１の鍔部３３は、第１フィルム２１における開口２１ｃの周縁部に、第１フィルム２１の厚さ方向に対向する位置に配置されている。なお、本明細書では、対向するは、接触する意味を含む。
ヘッドレスト１は、一対の第２収容部１８に対応して、取付け部材３１を一対備えている（一方の取付け部材３１は不図示）。
【００２６】
両面テープ４１は、公知の構成のものである。例えば、両面テープ４１は、基材の両側に粘着層をそれぞれ設けて構成されている。両面テープ４１は、水が透過しない材料で形成されている。
水が透過しない材料としては、例えば基材用として、気泡がほぼ独立であるアクリルフォームが用いられる。水が透過しない材料としては、例えば粘着層用として、アクリル系粘着材が用いられる。
【００２７】
両面テープ４１は、リング状に形成され、図４に示すように第１フィルム２１における開口２１ｃの周縁部と、取付け部材３１の鍔部３３と、の間に配置されている。両面テープ４１は、第１フィルム２１における開口２１ｃの周縁部、及び取付け部材３１の鍔部３３の下面にそれぞれ固定されている。両面テープ４１は、第１フィルム２１と取付け部材３１とを、開口２１ｃの周縁部の全周にわたって固定している。
なお、両面テープ４１は、第１フィルム２１と取付け部材３１とを、開口２１ｃの周縁部の一部のみで固定していてもよい。
【００２８】
両面テープ４１、及び前述の本体部１１及び取付け部材３１は、第１フィルム２１の第１面２１ａ側に配置されている。本体部１１は、取付け部材３１を第１フィルム２１の第１面２１ａ側から覆った状態で第１フィルム２１及び取付け部材３１にそれぞれ固定されている。
【００２９】
図４に示すように、固定部４６は、吸盤固定部材（第２取付け部材）４７と、吸盤（第３取付け部材）４８と、を備えている。
図４及び図５に示すように、吸盤固定部材４７は、支持板５０と、接続部材５１と、を備えている。
支持板５０は、厚さ方向が上下方向となるように配置されている。支持板５０の厚さは、本体部１１の第１収容部１７が天板部１２の下面から上方に向かって凹む長さ以下である。
支持板５０は、本体部１１の第１収容部１７の底面上に配置されている。支持板５０は、天板部１２よりも下方に突出していなく、第１収容部１７内に配置されている。
【００３０】
平面視における支持板５０の中央部には、左右方向に沿って延びるスリット５３が形成されている。スリット５３は、支持板５０を上下方向に貫通している。スリット５３の左右方向の端部には、スリット５３の幅よりも内径が大きい幅広部５４が形成されている。例えば、幅広部５４は、上下方向に沿う軸線を有する円柱状の空間として形成されている。ただし、幅広部５４の形状は円柱状に限定されず、四角柱状等の多角柱状等でもよい。
スリット５３における幅広部５４が形成されていない部分における左右方向の中央部には、スリット５３の幅よりも幅が狭い幅狭部５５が形成されている。
【００３１】
図５に示すように、支持板５０における、スリット５３の幅広部５４とは反対側の端部を前後方向に挟む部分には、支持板５０を上下方向に貫通する水抜き孔５６がそれぞれ形成されている。
接続部材５１は、左右方向が長径となる楕円の筒状に形成されている。接続部材５１は、底面視で、スリット５３、幅広部５４、幅狭部５５、及び一対の水抜き孔５６を囲むように形成されている。図４に示すように、接続部材５１の外径、及び取付け部材３１の側壁部３６の内径は、互いに同程度である。
【００３２】
接続部材５１の外周面の上端部には、接続部材５１の径方向外側に向かって突出する凸部５９が形成されている。凸部５９は、取付け部材３１の第２凹部３６ａに上下方向に係合している。取付け部材３１の第２凹部３６ａに吸盤固定部材４７の凸部５９が係合することにより、取付け部材３１に吸盤固定部材４７が装着される。なお、取付け部材３１の側壁部３６と吸盤固定部材４７の接続部材５１との間には、図示しない接着層が設けられ、側壁部３６と接続部材５１とを固定している。
吸盤固定部材４７の支持板５０、及び取付け部材３１の鍔部３３は、互いの間に第１フィルム２１における開口２１ｃの周縁部を第１フィルム２１の厚さ方向に挟んでいる。第１フィルム２１における開口２１ｃの周縁部での第１フィルム２１の厚さ方向は、上下方向である。
吸盤固定部材４７を構成する支持板５０、接続部材５１、及び凸部５９は、樹脂等の弾性を有する材料で一体に形成されている。
【００３３】
ヘッドレスト１は、一対の取付け部材３１に対応して、吸盤固定部材４７及び吸盤４８を備える固定部４６を一対備えている。図３に示すように、一対の吸盤固定部材４７のスリット５３は、基準線Ｌ上にそれぞれ配置されている。本実施形態では、基準線Ｌに沿う方向は、左右方向である。一対のスリット５３は、基準線Ｌに沿う方向に互いに位置をずらしてそれぞれ配置されている。
各スリット５３には、幅広部５４が形成されている。本実施形態では、一対の幅広部５４は、一対のスリット５３の基準線Ｌに沿う方向の内側の端部にそれぞれ形成されている。すなわち、一対の幅広部５４の一方は、一対のスリット５３のうち右側のスリット５３の左端部に形成されている。一対の幅広部５４の他方は、一対のスリット５３のうち左側のスリット５３の右端部に形成されている。
【００３４】
一対の幅広部５４間のピッチＰ（一対の幅広部５４の中心間の距離）は、一対のスリット５３のうち幅広部５４以外のいずれの部分間のピッチとも異なる。すなわち、一対のスリット５３のうち、一方のスリット５３における幅広部５４以外の部分と、他方のスリット５３における幅広部５４以外の部分とのピッチは、ピッチＰに等しくなることはない。
本実施形態では、ピッチＰは、一対のスリット５３のうち、一方のスリット５３における幅広部５４以外の部分と、他方のスリット５３における幅広部５４以外の部分とのピッチよりも短い。
なお、一対の幅広部５４は、一対のスリット５３の基準線Ｌに沿う方向の外側の端部にそれぞれ形成されていてもよい。
【００３５】
図４に示すように、吸盤４８は、吸着部６２と、基部６３と、縮径部６４と、拡径部（係合部）６５と、を備えている。
吸着部６２は、上方に向かって凸となるドーム状に形成されている。吸着部６２は、浴槽１０１の天壁部１０６等に吸着することにより、天壁部１０６等に装着可能である。
【００３６】
基部６３、縮径部６４、及び拡径部６５は、それぞれ円柱状に形成されている。基部６３及び拡径部６５のそれぞれの外径は、吸盤固定部材４７のスリット５３の幅よりも大きい。縮径部６４の外径及び吸盤固定部材４７のスリット５３の幅は、互いに同等である。吸着部６２、基部６３、縮径部６４、及び拡径部６５は、互いに上下方向に位置をずらして同軸に配置されている。基部６３は、吸着部６２の上面に固定されている。縮径部６４は基部６３の上面に、拡径部６５は縮径部６４の上面にそれぞれ固定されている。
吸盤４８を構成する吸着部６２、基部６３、縮径部６４、及び拡径部６５は、樹脂等の弾性を有する材料で一体に形成されている。
【００３７】
基部６３は、スリット５３よりも下方に配置されている。
縮径部６４は、スリット５３における幅広部５４とは反対側の端部に配置されている。縮径部６４の上下方向の長さ、及び吸盤固定部材４７の支持板５０の厚さは、互いに同程度である。
拡径部６５は、スリット５３よりも上方に配置されている。基部６３及び拡径部６５は、支持板５０におけるスリット５３の開口周縁部に上下方向に係合している。吸盤４８は、吸盤固定部材４７に装着されている。拡径部６５の外径は吸盤固定部材４７の幅広部５４の内径よりも小さく、拡径部６５及び縮径部６４は、幅広部５４に挿入可能である。
【００３８】
次に、以上のように構成されたヘッドレスト１を製造する本実施形態の製造方法について説明する。図６は、本発明の一実施形態の製造方法Ｓを示すフローチャートである。なお、この製造方法Ｓには、図７に示す第１金型７１及び第２金型７６が用いられる。
第１金型７１の外面７１ａは、平坦である。第１金型７１の外面７１ａには、外面７１ａから上方に向かって突出した第１凸部７２が形成されている。第１凸部７２は、本体部１１の第１収容部１７に対応した形状である。第１凸部７２の上面における中央部には、この上面から上方に向かって突出した第２凸部（係合部、凸部）７３が形成されている。第２凸部７３は、取付け部材３１の第１凹部３１ａに対応した形状である。
第１金型７１及び第２金型７６には、上下方向に貫通する図示しない貫通孔がそれぞれ形成されている。
【００３９】
まず、第１フィルム配置工程（フィルム配置工程、図６に示すステップＳ１）において、作業者は、図７に示すように、第１金型７１の外面７１ａに沿って第１フィルム２１を配置する。この第１フィルム２１には、予め開口２１ｃが形成されている。第１金型７１の貫通孔から空気を吸引することにより、第１金型７１の外面７１ａに沿って第１フィルム２１を配置する。第１フィルム２１はさらに第１凸部７２の外面に沿って配置され、第１フィルム２１の開口２１ｃには、第１金型７１の第２凸部７３が挿入される。
第１フィルム配置工程Ｓ１が終了すると、ステップＳ３に移行する。
【００４０】
次に、取付け部材配置工程（ステップＳ３）において、第１金型７１の第２凸部７３を覆うように取付け部材３１を配置する。これにより、第１金型７１の第２凸部７３に取付け部材３１の第１凹部３１ａを第１金型７１の外面７１ａに沿う方向に係合させる。この際に、予め取付け部材３１の鍔部３３に両面テープ４１を固定しておくことにより、取付け部材３１を両面テープ４１を介して第１フィルム２１に固定する。
【００４１】
次に、第２フィルム配置工程（ステップＳ５）において、第２金型７６の貫通孔から空気を吸引することにより、第２金型７６の下面（第１金型７１に対向する面）に沿って第２フィルム２６を配置する。
次に、第２金型配置工程（ステップＳ７）において、第１金型７１との間に第１フィルム２１、取付け部材３１、両面テープ４１、及び第２フィルム２６を挟む位置に第２金型７６を配置する。
【００４２】
次に、発泡工程（ステップＳ９）において、第１金型７１と第２金型７６との間で発泡原料を発泡させて、第１フィルム２１、取付け部材３１、第１フィルム２１、及び第２フィルム２６に発泡原料を発泡して構成した本体部１１をそれぞれ固定する。発泡原料には、例えば、ポリオール、ポリイソシアネート、及び発泡剤等が用いられる。発泡原料が発泡することにより、第１金型７１と第２金型７６との間に、ヘッドレスト１が形成される。
【００４３】
次に、金型取外し工程（ステップＳ１１）において、ヘッドレスト１から第１金型７１及び第２金型７６を取外す。具体的には、第１金型７１の第１凸部７２及び第２凸部７３と本体部１１の第１収容部１７及び取付け部材３１の第１凹部３１ａとの係合を解除して、第１金型７１からヘッドレスト１を取外す。第２金型７６からヘッドレスト１を取外す。
第１フィルム２１及び第２フィルム２６の余剰部分を切除する。
【００４４】
次に、固定部取付け工程（ステップＳ１３）において、図４に示すように、ヘッドレスト１に固定部４６を装着する。具体的には、取付け部材３１の第２凹部３６ａに吸盤固定部材４７の凸部５９を係合させ、取付け部材３１に吸盤固定部材４７を装着する。この際に、取付け部材３１の側壁部３６及び吸盤固定部材４７の接続部材５１の一方に接着剤を塗布する。第１フィルム２１における第１面２１ａとは反対の第２面２１ｂ側から開口２１ｃを通して、取付け部材３１に吸盤固定部材４７を装着する。
【００４５】
吸盤固定部材４７の幅広部５４に、吸盤４８の拡径部６５及び縮径部６４を挿入する。吸盤固定部材４７に対して吸盤４８を、スリット５３に沿って移動させる。幅狭部５５を通して、縮径部６４をスリット５３における幅広部５４とは反対側の端部に配置する。スリット５３に幅狭部５５が形成されているため、スリット５３における幅広部５４とは反対側の端部に配置された幅狭部５５が、スリット５３に沿って移動するのが抑制される。一対の吸盤固定部材４７のうち、一方の吸盤固定部材４７に対して吸盤４８を移動させる向きと、他方の吸盤固定部材４７に対して吸盤４８を移動させる向きとは、逆向きである。
以上の工程で、ヘッドレスト１が製造される。
【００４６】
以上のように構成されたヘッドレスト１は、例えば、浴槽１０１の凹部１０８にヘッドレスト１の凸部１４に係合させ、浴槽１０１の天壁部１０６に一対の吸盤４８を装着させた状態で使用される。
ヘッドレスト１を使用する中で、取付け部材３１の第１凹部３１ａ内に水が入る場合がある。この水は、吸盤固定部材４７の水抜き孔５６を通してヘッドレスト１の外部に排出される。
また、浴槽１０１の天壁部１０６上に溜まった水は、図２中に矢印Ｂで示すように、第１フィルム２１の溝２２を通して浴槽１０１内に排出される。
【００４７】
以上説明したように、本実施形態の製造方法Ｓによれば、第１金型７１の第２凸部７３と取付け部材３１の第１凹部３１ａとが第１金型７１の外面７１ａに沿う方向に係合することにより、第１金型７１に対して取付け部材３１が第１金型７１の外面７１ａに沿う方向に相対的に移動するのが規制されている。従って、第１金型７１と第２金型７６との間で発泡原料を発泡させる時に、第１金型７１に対して取付け部材３１が第１金型７１の外面７１ａに沿う方向に位置ズレするのを抑えることができる。
フィルム２１，２６に全面が覆われた本体部１１を柔らかく保ちながら、本体部１１及び取付け部材３１を同時に成形することができる。
【００４８】
取付け部材配置工程Ｓ３では、取付け部材３１を両面テープ４１を介して第１フィルム２１に固定する。このため、第１金型７１と第２金型７６との間で発泡原料を発泡させる時に、第１金型７１に対して取付け部材３１が第１金型７１の外面７１ａに交差する方向（上下方向）に位置ズレするのを抑えることができる。
第１金型７１の係合部は第２凸部７３であり、取付け部材３１の第１被係合部は第１凹部３１ａである。取付け部材３１の第１凹部３１ａがヘッドレスト１から外部に突出しないため、取付け部材３１がヘッドレスト１の周辺の部材に干渉するのを抑えることができる。
【００４９】
取付け部材３１の第１凹部３１ａの内面には、固定部４６が係合する第２凹部３６ａが形成されている。このため、取付け部材３１における第１凹部３１ａの内面以外の部分に第２凹部３６ａが形成されている場合と比べて、第１凹部３１ａ及び第２凹部３６ａを、全体として小型に形成することができる。
第２凹部３６ａは、第１凹部３１ａの内面から凹んでいる。従って、第１金型７１の第２凸部７３が第２凹部３６ａに干渉するのを抑制することができる。
【００５０】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、本体部１１の天板部１２に第１収容部１７は形成されなくてもよい。この場合、第１金型７１に第１凸部７２は形成されなくてもよい。さらに、第１金型７１の係合部は、第１金型７１の外面７１ａから凹んだ凹部であってもよい。この場合、取付け部材３１の第１被係合部は、取付け部材３１の外面から突出した凸部となる。
【００５１】
固定部材は両面テープ４１であるとしたが、固定部材はこれに限定されず、接着剤等でもよい。
取付け部材３１において固定部４６が係合する第２被係合部は、取付け部材３１における第１凹部３１ａの内面以外の部分である鍔部３３等の部分に形成されてもよい。第２被係合部は、第１凹部３１ａの内面から突出するように形成されてもよい。
ヘッドレスト１は、両面テープ４１を備えなくてもよい。
発泡成形体がヘッドレストであり、支持体が浴槽であるとした。しかし、発泡成形体はこれに限定されず、椅子等におけるアームレストや、座部等のクッションであってもよい。この場合、支持体は椅子のフレーム等に該当する。
【符号の説明】
【００５２】
１    ヘッドレスト
１１  本体部
２１  第１フィルム（フィルム）
３１  第１取付け部材（取付け部材）
３１ａ  第１凹部（凹部、第１被係合部）
３６ａ  第２凹部（第２被係合部）
４１  両面テープ（固定部材）
４６  固定部
７１  第１金型
７１ａ  外面
７３  第２凸部（係合部、凸部）
７６  第２金型
１０１  浴槽
Ｓ    製造方法（ヘッドレストの製造方法）
Ｓ１  第１フィルム配置工程（フィルム配置工程）
Ｓ３  取付け部材配置工程
Ｓ７  第２金型配置工程
Ｓ９  発泡工程
【図１】
2019209545.tif 000003
【図２】
2019209545.tif 000004
【図３】
2019209545.tif 000005
【図４】
2019209545.tif 000006
【図５】
2019209545.tif 000007
【図６】
2019209545.tif 000008
【図７】
2019209545.tif 000009